(57)【要約】【課題】ＤＶＤからＨＤへのダビング中でも、再生停止した所の続きからコンテンツの再生を再開し、ユーザの使い勝手を向上させた記録読取装置を提供する。【解決手段】制御部２は、DVD１００の再生を開始すると同時に、両ドライブ２０、３０を制御して、ダビング処理を開始する。ダビング／再生中、停止キーが押下されると、制御部２は、そのコンテンツデータ６０の再生だけを停止する。これにより、ダビングは継続されるが、コンテンツデータ６０の再生は、再生停止点６０Aで停止する。そして、ダビング中に再生の再開が指定されると、制御部２は、ＨＤ３０Ａに記録されているコンテンツデータ６１をアドレス「０Ｘ０Ａ３４８」から追っかけ再生する。これにより、ダビング中でも、再生再開点６１Ａからコンテンツデータ６１がレジューム再生される。そのため、ユーザは、ダビングの終了を待たずに、再生を停止した所の続きから再生を再開できる。【選択図】  図４
2009037684.tif 000002
【特許請求の範囲】
【請求項１】
コンテンツデータが記録されている、装置本体に対して着脱自在な第１のメディアから、該コンテンツデータを読取る第１のドライブと、
前記第１のドライブにより読取られた前記コンテンツデータを第２のメディアに記録するとともに、前記第２のメディアから前記コンテンツデータを読取る第２のドライブと、
前記両ドライブのいずれか一方により読取られた前記コンテンツデータを再生する再生手段と、を備える記録読取装置において、
前記第１のメディアの再生が指定されると、前記第１のメディアから前記コンテンツデータを読取るよう前記第１のドライブに指示して再生を前記再生手段に開始させると同時に、前記両ドライブを制御して、前記第１のメディアに記録されている前記コンテンツデータを前記第２のメディアに記録するダビング処理を開始する制御手段を備え、
前記再生手段は、前記ダビング処理と同時に行っている前記第１のメディアの再生中、その再生の停止が指定されると、前記第１のメディアの前記コンテンツデータの再生を停止し、
前記制御手段は、前記ダビング処理中に、再生を停止した前記コンテンツデータの再生の再開が指定されると、前記第２のメディアに記録済みの前記コンテンツデータを、再生が停止された所の続きから読取るよう前記第２のドライブに指示し、前記ダビング処理を継続する記録読取装置。
【請求項２】
前記再生手段が前記第１のメディアの前記コンテンツデータの再生を停止すると、前記ダビング処理で記録された前記コンテンツデータの内の前記再生が停止された所の前記第２のメディア上における記憶位置を記憶する記憶手段を備え、
前記制御手段は、前記第２のメディアを前記記憶位置から読取るよう前記第２のドライブに指示する請求項１に記載の記録読取装置。
【請求項３】
前記第２のドライブは、前記再生手段が前記第１のメディアの前記コンテンツデータの再生を停止すると、前記ダビング処理で記録した前記コンテンツデータの内の前記再生が停止された所の前記第２のメディア上における記憶位置を前記第２のメディアに記録し、
前記制御手段は、前記第２のメディアを前記記憶位置から読取るよう前記第２のドライブに指示する請求項１に記載の記録読取装置。
【請求項４】
前記制御手段は、前記ダビング処理の終了後に、再生を停止した前記コンテンツデータの再生の再開が指定されると、前記第２のメディアに記録済みの前記コンテンツデータを、前記再生が停止された所の続きから読取るよう前記第２のドライブに指示する請求項１から３のいずれかに記載の記録読取装置。
【請求項５】
前記第１のメディアは、光ディスクであり、
前記第２のメディアは、ハードディスクである請求項１から４のいずれかに記載の記録読取装置。
【発明の詳細な説明】
【技術分野】
【０００１】
本発明は、ＤＶＤ等のリムーバブルメディアからコンテンツデータを読取って再生する記録読取装置に関し、特に、そのコンテンツデータをリムーバブルメディアからＨＤ等の大容量メディアにダビングする記録読取装置に関するものである。
【背景技術】
【０００２】
従来、ＤＶＤ（Digital Versatile Disk）等のリムーバブルメディアからコンテンツデータを読取って再生するとともに、そのコンテンツデータをリムーバブルメディアからＨＤ（Hard Disk）等の大容量メディアにダビングする記録読取装置があった。このような記録読取装置を代表して、ＨＤ付きＤＶＤレコーダについて以下説明する。
【０００３】
ＨＤ付きＤＶＤレコーダにおいて、レンタルショップから借りたコピーフリーのレンタルＤＶＤや友人から借りたＤＶＤ等、使用期限の限られたＤＶＤのコンテンツをＨＤにダビングする場合、時間に余裕のあるユーザは、次のような使用方法を取ることが多かった。まず、ユーザは、そのＤＶＤのコンテンツを再生して視聴する。視聴後、ユーザは、そのＤＶＤのコンテンツをＨＤにダビングする。そして、ユーザは、ダビングし終わったＤＶＤを、使用期限までに友人やレンタルショップに返却する。
一方、当初時間に余裕のあっても、ＤＶＤの視聴中に急な用事が入って視聴を一時的に中断しなければならない場合もある。この場合、ユーザは、使用期限を考慮し、ＤＶＤの再生を停止してＤＶＤのコンテンツをＨＤにダビングする。
なお、特許文献１では、電子機器が提案されている。
【特許文献１】特開２００７−１２４５３８公報
【発明の開示】
【発明が解決しようとする課題】
【０００４】
しかしながら、ダビング中、ＨＤ付きＤＶＤレコーダは、ＤＶＤをレジューム再生できない。そのため、ユーザが用事を終えてダビング中に戻って来た時、再生を停止した所の続きからコンテンツを再生再開できなかった。
よって、再生を停止した所の続きから再生を再開したい場合、ＨＤへのダビングが終了するまで、ユーザは待たなければならなかった。従って、従来の記録読取装置では、ユーザの使い勝手が悪かった。
【０００５】
本発明はこのような従来の課題を解決しようとするものであり、ＤＶＤからＨＤへのダビング中でも、再生停止した所の続きからコンテンツの再生を再開し、ユーザの使い勝手を向上させた記録読取装置を提供することを目的とする。
【課題を解決するための手段】
【０００６】
本発明の記録読取装置は、前記課題を解決するために以下の構成を備えている。
【０００７】
（１）コンテンツデータが記録されている、装置本体に対して着脱自在な第１のメディアから、該コンテンツデータを読取る第１のドライブと、
前記第１のドライブにより読取られた前記コンテンツデータを第２のメディアに記録するとともに、前記第２のメディアから前記コンテンツデータを読取る第２のドライブと、
前記両ドライブのいずれか一方により読取られた前記コンテンツデータを再生する再生手段と、を備える記録読取装置において、
前記第１のメディアの再生が指定されると、前記第１のメディアから前記コンテンツデータを読取るよう前記第１のドライブに指示して再生を前記再生手段に開始させると同時に、前記両ドライブを制御して、前記第１のメディアに記録されている前記コンテンツデータを前記第２のメディアに記録するダビング処理を開始する制御手段を備え、
前記再生手段は、前記ダビング処理と同時に行っている前記第１のメディアの再生中、その再生の停止が指定されると、前記コンテンツデータの再生を停止し、
前記制御手段は、前記ダビング処理中に、再生を停止した前記コンテンツデータの再生の再開が指定されると、前記第２のメディアに記録済みの前記コンテンツデータを、再生が停止された所の続きから読取るよう前記第２のドライブに指示し、前記ダビング処理を継続する。
【０００８】
この構成において、第１のメディアは、リムーバブルメディアであり、例えば光ディスク、又は半導体メモリである。また、第２のメディアは、大容量メディアであり、例えばハードディスクである。
この構成において、ユーザが第１のメディアの再生を指定すると、コンテンツデータの第１のメディアから第２のメディアへのダビングと、第１のメディアの再生と、が同時に開始する。そして、第１のメディアの視聴中に急な用事が入って視聴を一時的に中断したい場合、ユーザは、ダビング及び再生中に再生の停止を指定する。すると、コンテンツデータの再生だけが停止するが、ダビングは継続する。そして、用事を終えてダビング中に戻って来た時、ユーザは再生の再開を指定する。すると、第２のメディアに記録されているコンテンツデータが、再生が停止された所の続きから読取られて再生手段で再生される。この時点ではダビング中であるため、第２のメディアに対して追っかけ再生が行われることになる。
これにより、ダビング中に、再生が停止された所の続きからコンテンツデータの再生が再開される。そのため、ユーザは、ダビングの終了を待たずに、再生を停止した所の続きから再生を再開できる。従って、記録読取装置では、ユーザの使い勝手を向上させることができる。
【０００９】
（２）前記再生手段が前記第１のメディアの前記コンテンツデータの再生を停止すると、前記ダビング処理で記録された前記コンテンツデータの内の前記再生が停止された所の前記第２のメディア上における記憶位置を記憶する記憶手段を備え、
前記制御手段は、前記第２のメディアを前記記憶位置から読取るよう前記第２のドライブに指示する。
【００１０】
この構成では、再生が停止された所の続きから再生を再開する第１の方法を示している。この構成においては、再生が停止した所のコンテンツデータがダビングされた第２のメディア上の記憶位置が記憶手段に記憶される。ここで、コンテンツデータの記憶位置は、主としてアドレスで特定される。
そして、ユーザが再生の再開を指定すると、第２のメディアがその記憶位置から読取られ、再生手段で再生される。このようにして、再生が停止された所の続きから再生が再開される。
【００１１】
（３）前記第２のドライブは、前記再生手段が前記第１のメディアの前記コンテンツデータの再生を停止すると、前記ダビング処理で記録した前記コンテンツデータの内の前記再生が停止された所の前記第２のメディア上における記憶位置を前記第２のメディアに記録し、
前記制御手段は、前記第２のメディアを前記記憶位置から読取るよう前記第２のドライブに指示する。
【００１２】
この構成では、再生が停止された所の続きから再生を再開する第２の方法を示している。
この構成では、記憶位置が、記憶手段でなく、第２のメディアに記録される。そのため、装置本体に、記憶手段を別途設ける必要が無くなる。よって、上記（２）と比べて、その分のコストを低減できる。
【００１３】
（４）前記制御手段は、前記ダビング処理の終了後に、再生を停止した前記コンテンツデータの再生の再開が指定されると、前記第２のメディアに記録済みの前記コンテンツデータを、前記再生が停止された所の続きから読取るよう前記第２のドライブに指示する。
【００１４】
この構成では、第２のメディアへのダビングが終了して第１のメディアを返却した後に、ユーザがコンテンツの再生を続きから再開する場面を主に想定している。この場面では、ユーザは、第２のメディアにダビングしたコンテンツデータを再生する。この際、上記（１）〜（３）では、ユーザは、再生を停止した所の続きまで第２のメディアを早送り等して探さなければならず、非常に手間がかかる。
この構成においては、ユーザが再生再開を指定すると、再生が停止された所の続きからコンテンツデータが読取られ、再生手段で再生される。
これにより、第２のメディアのコンテンツデータがその続きからレジューム再生される。そのため、ダビングが終了して第１のメディアを返却した後にコンテンツの再生を続きから再開する際、その続きまで第２のメディアを早送り等して再生が停止された所を探さなくとも済む。そのため、ユーザが、再生を停止した所を探す手間を省くことができる。
【００１５】
（５）前記第１のメディアは、光ディスクであり、
前記第２のメディアは、ハードディスクである。
【００１６】
この構成において、光ディスクは、例えば、ＣＤ、ＨＤＤＶＤを含むＤＶＤ、ブルーレイディスクである。
【発明の効果】
【００１７】
この発明によれば、ユーザは、ダビングの終了を待たずに、再生を停止した所の続きから再生を再開できる。従って、記録読取装置では、ユーザの使い勝手を向上させることができる。
【発明を実施するための最良の形態】
【００１８】
以下、本発明の実施形態であるＨＤ付きＤＶＤレコーダについて説明する。
【００１９】
図１は、本発明の実施形態であるＨＤ付きＤＶＤレコーダの構成を示すブロック図である。ＨＤ付きＤＶＤレコーダ１は、所定メディアにデータを記録するとともに、既に記録されているデータを所定メディアから読取る記録読取部１０５と、記録読取部１０５の記録動作と読取動作、及び以下に説明する各部の動作を制御する制御部２と、を備える。ＨＤ付きＤＶＤレコーダ１には、ディジタルテレビジョン３００が接続されている。
【００２０】
記録読取部１０５は、ＤＶＤ１００（Digital  Versatile  Disk）に対する（テレビ番組等の）コンテンツデータの記録及び読取を行う光ディスクドライブ２０と、内蔵するＨＤ３０Ａに対する（テレビ番組等の）コンテンツデータの記録及び読取を行うＨＤＤ（ハードディスクドライブ）３００と、データプロセッサ４０と、を備える。
ＤＶＤ１００は、例えばＤＶＤ−ＲＯＭ、ＤＶＤ−Ｒ、又はＤＶＤ−ＲＡＭである。ＤＶＤ１００には、テレビ番組等が記述されたコンテンツデータ（映像音声データ）が記録されている。
なお、この実施形態では、ＤＶＤ１００で説明しているが、実施の際は、ブルーレイディスクでも構わない。
【００２１】
さらに、ＨＤ付きＤＶＤレコーダ１は、デコーダ１０６と、出力部１０７と、ＯＳＤ生成部１０８と、ＴＶ（テレビジョン）３００が接続されるＡＶ出力端子１０９と、ユーザの入力操作を受付けるリモコン２００からの操作信号を受信する受信部１１０と、記憶部１１１と、を備える。
なお、ＤＶＤ１００が、本発明の「第１のメディア」に相当する。また、ＨＤ３０Aが、本発明の「第２のメディア」に相当する。また、光ディスクドライブ２０が、本発明の「第１のドライブ」に相当する。また、ＨＤＤ３０が、本発明の「第２のドライブ」に相当する。また、記憶部１１１が、本発明の「記憶手段」に相当する。また、制御部２及びデータプロセッサ４０が、本発明の「制御手段」に相当する。また、デコーダ１０６及び出力部１０７が、本発明の「再生手段」に相当する。
【００２２】
データプロセッサ４０は、大容量のバッファメモリを内蔵する（不図示）。データプロセッサ４０は、ダビング時において、制御部２の制御に従って、光ディスクドライブ２０から読み出されたデータをＨＤＤ３０に供給したり、ＨＤＤ３０から読み出されたデータを光ディスクドライブ２０に供給したりする。
【００２３】
再生時について以下説明する。
データプロセッサ４０は、ＤＶＤ１００の映像音声データを光ディスクドライブ２０から取り込んで、デコーダ１０６に供給する。または、データプロセッサ４０は、ＨＤ３０Ａの映像音声データをＨＤＤ３０から取り込んで、デコーダ１０６に供給する。
【００２４】
デコーダ１０６は、不図示のバッファメモリを内蔵する。デコーダ１０６は、記録読取部１０５から出力された映像音声データをバッファメモリに格納するとともに読み出し、（例えばＭＰＥＥＧで）デコードする。そして、デコーダ１０６は、デコードされた映像音声データを出力部１０７に出力する。
【００２５】
ＯＳＤ生成部１０８は、制御部２から入力されるデータに基づいて、ＯＳＤ（on screen display）画像を示すＯＳＤ画像データを生成する。そして、ＯＳＤ生成部１０８は、ＯＳＤ画像データを出力部１０７に出力する。
【００２６】
出力部１０７は、ＯＳＤ画像データおよび映像データを入力して、制御部２の制御のもとにいずれかを選択的に受取り、ＡＶ出力端子１０９を介してＴＶ３００に出力する。または、出力部１０７は、制御部２の制御のもとに、ＯＳＤ画像データと映像音声データ中の映像データとを合成し、ＡＶ出力端子１０９を介してＴＶ３００に出力する。さらに、出力部１０７は、映像音声データ中の音声データも、ＴＶ３００に出力する。
【００２７】
以上により、ＴＶ３００は、ＡＶ出力端子１０９を介して与えられる映像データに基づく画面、与えられる合成画像信号に基づく画面、または、与えられるＯＳＤ画像データに基づくＯＳＤのみの画面を再生する。さらに、音声信号も、ＴＶ３００に設けられているスピーカで処理され、音声がそのスピーカから再生される。この結果、ユーザは、このＴＶ３００において、ＤＶＤ１００又はＨＤ３０Ａに記録されているコンテンツを視聴する。
【００２８】
記憶部１１１は、例えばＥＥＰＲＯＭで構成される。記憶部１１１は、装置本体各部の制御方法が記述された制御プログラムを格納する。
【００２９】
リモコン２００は、ユーザからの入力操作を受付ける複数のキーと、押下されたキーに応じた操作信号（コマンド）を送信する赤外LEDと、を有している（いずれも不図示）。複数のキーには、DVDの再生を指定するためのDVD再生キーと、その再生の停止を指定するための停止キーと、再生停止した所の続きからコンテンツを再生するレジューム再生を指定するためのレジュームキーと、が含まれる。ユーザは、これらのキー操作により、再生、停止、レジューム再生、ダビング等を行う。リモコン２００は、操作されたキーに応じた制御信号を赤外LEＤから送信する。
受信部１１０は、リモコン２００から送信された操作信号を受信し、その操作信号を制御部２へ伝送する。
【００３０】
制御部２は、例えばマイクロコンピュータで構成される。制御部２は、記憶部１１１に記憶されている制御プログラムで処理されるデータを展開するためのワークフィールドとしてのＲＡＭ（不図示）を内蔵する。
制御部２は、リモコン２００から送信された操作信号に従って、ＨＤ３０Ａ及びＤＶＤ１００に対するデータの読取動作、ＨＤ３０Ａに対するデータの記録動作等を制御する。
【００３１】
図２は、本発明の実施形態であるＨＤ付きＤＶＤレコーダの制御部が行う動作を示すフローチャートである。図３は、コンテンツデータをDVDからHDにダビングするとともにDVDを再生する時の様子を示す図である。図３の上段は、DVD１００に記録されているコンテンツデータ６０の様子を示す図である。図３の下段は、HD３０Aにダビングしたコンテンツデータ６１の様子を示す図である。コンテンツデータ６１は、コンテンツデータ６０のコピーデータである。また、図中の点線は、現在、読取中の位置および記録中の位置を表している。
【００３２】
ユーザがDVD再生キーを押下してＤＶＤ１００の再生を指定すると、制御部２は、DVD１００からコンテンツデータ６０を読取るよう光ディスクドライブ２０に指示して再生を出力部１０７等に開始させる（S１）。さらに、S１と同時に、制御部２は、両ドライブ２０、３０を制御して、ダビング処理を開始する（S２）。ダビング処理は、DVD１００に記録されているコンテンツデータ６０をHD３０Aに記録する処理である。S１及びS２を詳述すると、データプロセッサ４０は、光ディスクドライブ２０から読み出されたデータをＨＤＤ３０及びデコーダ１０６に供給する。これにより、ダビングが行われるとともに、映像および音声がＴＶ３００から再生される（図３参照）。この結果、ユーザは、このＴＶ３００において、ＤＶＤ１００に記録されているコンテンツを視聴する。また、その視聴と同時に、ダビングもできる。
【００３３】
そして、ダビング処理と同時に行っているDVD１００の再生中、即ちダビング／再生中、制御部２は、停止キーが押下されたかどうか（S３）、コンテンツデータ６０の終端に到達したかどうか（S４）、を判断する。S３及びS４では、ユーザがＤＶＤ１００の視聴中に急な用事が入って視聴を中断する場面を想定している。この場面において、ユーザは、席を離れるため、停止キーを押下する。
【００３４】
S４においてコンテンツデータ６０の終端に到達した場合（図３上段参照）、ダビング／再生すべきデータが存在しないので、制御部２は、ダビング／再生を停止し（S５）、本処理を終了する。
【００３５】
一方、S５において停止キーが押下されて再生の停止が指定されると、制御部２は、そのコンテンツデータ６０の再生だけを停止する（S６）。これにより、ダビングは継続されるが、コンテンツデータ６０の再生は、例えば再生停止点６０Aで停止する（図４上段参照）。
図４は、図３におけるダビング／再生中に、再生を停止して再生を再開した時の様子を示す図である。図中の点線は、現在、読取中の位置および記録中の位置を表している。
【００３６】
そして、制御部２は、再生停止点６０Aに位置するコンテンツデータ６０がダビングされたHD３０A上のアドレス「０Ｘ０Ａ３４８」を記憶部１１１に記録する（S７）。
なお、この実施形態では、アドレス「０Ｘ０Ａ３４８」を記憶部１１１に記録しているが、実施の際は、アドレス「０Ｘ０Ａ３４８」をコンテンツデータ６１と区別してHD３０Aに記録しても良い。この場合、記憶部１１１に、アドレスを記憶させるための記憶領域を別途設ける必要が無くなる。よって、記憶部１１１の記憶容量を低減できる。従って、その容量分のコストを低減できる。
【００３７】
ダビング中、制御部２は、レジュームキーの押下により再生の再開が指定されたかどうか（Ｓ８）、ダビングが終了したかどうか（Ｓ９）、を判断する。Ｓ８及びＳ９では、ユーザが用事を終えて席に戻って来た場面を想定している。この場面においてユーザは、再生を停止した所の続きから再生を再開したい場合、レジュームキーを押下する。
【００３８】
ダビング中に再生の再開が指定されると（Ｓ８）、制御部２は、ＨＤ３０Ａに記録されているコンテンツデータ６１をアドレス「０Ｘ０Ａ３４８」から追っかけ再生する（Ｓ１０）。詳述すると、制御部２は、HD３０Aに記録済みのコンテンツデータ６１を、再生が停止された所の続きから読取るようHDD３０に指示する。これにより、ＤＶＤ１００からＨＤ３０Ａへのダビング中でも、図４下段に示す再生再開点６１Ａからコンテンツデータ６１がレジューム再生される。そのため、ユーザは、ダビングの終了を待たずに、再生を停止した所の続きから再生を再開できる。従って、ＨＤ付きＤＶＤレコーダ１では、ユーザの使い勝手を向上させることができる。
【００３９】
図５は、図３におけるダビングが追っかけ再生中に終了した時の様子を示す図である。
ダビングが終了すると（Ｓ１１）、HDD３０は、HD３０Aの追っかけ再生を通常再生に切替える（Ｓ１２）。そして、制御部２は、本処理を終了する。
【００４０】
一方、Ｓ９においてダビングが終了し、その終了後に再生の再開が指示されると（Ｓ１４）、制御部２は、ＨＤ３０Ａに記録されているコンテンツデータ６１をアドレス「０Ｘ０Ａ３４８」から通常再生する（Ｓ１０）。Ｓ１４では、ＨＤ３０Ａへのダビングが終了してＤＶＤ１００を返却した後にコンテンツの再生を続きから再開する場面を想定している。この場面において、ユーザは、レジュームキーを押下して、ＨＤ３０Ａにダビングしたコンテンツデータの再生再開を指示する。そして、Ｓ１０において、制御部２は、HD３０Aに記録済みのコンテンツデータ６１を、再生が停止された所の続きから読取るようHDD３０に指示する。これにより、ＨＤ３０Ａのコンテンツデータ６１が再生再開点６１Ａからレジューム再生される。そのため、ダビングが終了してＤＶＤ１００を返却した後にコンテンツの再生を続きから再開する際、その続きまでＨＤ３０Ａを早送り等して再生再開点６１Ａを探さなくとも済む。そのため、ユーザが再生再開点６１Ａを探す手間を省くことができる。
【００４１】
以下、本発明の他の実施形態であるＨＤ付きＤＶＤレコーダについて説明する。
【００４２】
図６は、本発明の他の実施形態であるＨＤ付きＤＶＤレコーダの構成を示すブロック図である。図６のＨＤ付きＤＶＤレコーダ１１は、図１の構成に、ＴＶチューナ１０２と、ビデオカセットレコーダ（以下、ＶＣＲと称する）１０１と、を追加したものである。さらに、図６の出力部１１７には、ディジタルデータをＡ／Ｄ変換するＡ／Ｄ変換機能が追加されている。
【００４３】
ＴＶチューナ１０２は、不図示のアンテナで受信したテレビ放送信号から、選択されているチャンネルのテレビ放送信号を抽出し、復調してトランスポートストリームを取得する。このトランスポートストリーム（以下、ＴＳと称する）は、ＭＰＥＧ２規格で定められており、このＴＳには、各テレビ番組の画像や音声等の要素信号が納められた複数のＴＳパケットが多重されている。そして、デコーダ１０６は、選択されているチャンネルで放送されるＴＳパケットに格納されているコンテンツデータをデコードする。さらに、デコーダ１０６は、デコードされた映像音声データを出力部１０７に出力する。出力部１０７は、その映像音声データを再生信号としてテレビ３００に出力する。
【００４４】
一方、ＶＣＲ１０１は、ＶＣＲ１０１にセットされたビデオーテープに記録されているコンテンツを読取り、その読取信号を出力部１０７に出力する。出力部１１７は、その読取信号をＡ／Ｄ変換する変換部を有し、再生信号としてテレビ３００に出力する。
【００４５】
以上により、ＴＶ３００は、ＡＶ出力端子１０９を介して与えられる映像データに基づく画面、与えられる合成画像信号に基づく画面、または、与えられるＯＳＤ画像データに基づくＯＳＤのみの画面を再生する。さらに、音声信号も、ＴＶ３００に設けられているスピーカで処理され、音声がそのスピーカから再生される。この結果、ユーザは、このＴＶ３００において、ビデオテープに記録されているコンテンツ又はテレビ番組のコンテンツを視聴する。
なお、図１のリモコン２００には、ビデオテープを再生するビデオテープ再生キーと、と、チャンネルの選択を受付けるチャンネル選択キーと、を追加しておく。
【００４６】
図７は、本発明の他の実施形態であるＨＤ付きＤＶＤレコーダの制御部が行う動作を示すフローチャートである。この動作は、図２の動作に、Ｓ１０１〜Ｓ１０４を追加した動作であり、その他の処理（Ｓ１〜Ｓ１４）については同じである。
【００４７】
ダビング中、制御部２は、レジュームキーの押下により再生の再開が指定されたかどうか（Ｓ８）、ダビングが終了したかどうか（Ｓ９）、チャンネル選択キー又はビデオテープ再生キーの押下により他のコンテンツの鑑賞が指定されたかどうか（Ｓ１０１）、を判断する。Ｓ１０１では、ユーザが、ビデオテープをＶＣＲにセットして、ビデオテープ再生キーの押下によりビデオテープのコンテンツの鑑賞を指定する場面を想定している。また、Ｓ１０１では、ユーザが、チャンネル選択キーの押下によりテレビ番組の鑑賞を指定する場面も想定している。図７では、ビデオテープのコンテンツの鑑賞が指定されたと仮定して、以下説明する。
【００４８】
ビデオテープ再生キーが押下されると、制御部２は、ビデオテープを再生するようＶＣＲ１０１等に指示する（Ｓ１０２）。そして、ビデオテープの再生中にダビングが終了すると（Ｓ１０３）、制御部２は、Ｓ１３に戻り処理を継続する。これにより、Ｓ１４において、ＨＤ３０Ａのコンテンツデータ６１が再生再開点６１Ａからレジューム再生される。
【００４９】
一方、ダビング中にビデオテープの再生が終了すると（Ｓ１０４）、制御部２は、Ｓ８に戻り処理を継続する。これにより、Ｓ１０又はＳ１４において、ＨＤ３０Ａのコンテンツデータ６１が再生再開点６１Ａからレジューム再生される。
【００５０】
以上より、ダビング中に再生を停止して他のコンテンツを鑑賞することもできる。そして、その鑑賞後、レジューム再生できる。
【図面の簡単な説明】
【００５１】
【図１】本発明の実施形態であるＨＤ付きＤＶＤレコーダの構成を示すブロック図
【図２】本発明の実施形態であるＨＤ付きＤＶＤレコーダの制御部が行う動作を示すフローチャート
【図３】コンテンツデータをDVDからHDにダビングするとともにDVDを再生する時の様子を示す図
【図４】図３におけるダビング／再生中に、再生を停止して再生を再開した時の様子を示す図
【図５】図３におけるダビングが追っかけ再生中に終了した時の様子を示す図
【図６】本発明の他の実施形態であるＨＤ付きＤＶＤレコーダの構成を示すブロック図
【図７】本発明の他の実施形態であるＨＤ付きＤＶＤレコーダの制御部が行う動作を示すフローチャート
【符号の説明】
【００５２】
１−ＨＤ付きＤＶＤレコーダ
２−制御部
１１−ＨＤ付きＤＶＤレコーダ
２０−光ディスクドライブ
３０−ＨＤＤ
３０Ａ−ＨＤ
４０−データプロセッサ
１００−ＤＶＤ
１０１−ＶＣＲ
１０２−ＴＶチューナ
１０５−記録読取部
１０６−デコーダ
１０７−出力部
１０８−ＯＳＤ生成部
１０９−ＡＶ出力端子
１１０−受信部
１１１−記憶部
２００−リモコン
３００−ディジタルテレビジョン
【図１】
2009037684.tif 000003
【図２】
2009037684.tif 000004
【図３】
2009037684.tif 000005
【図４】
2009037684.tif 000006
【図５】
2009037684.tif 000007
【図６】
2009037684.tif 000008
【図７】
2009037684.tif 000009